(57)【特許請求の範囲】
【請求項１】
露光用開口部を有する地板と、光軸を中心にした略等間隔の角度位置で前記地板の一方の面に回転可能に取り付けられている複数枚の絞り羽根と、前記地板の他方の面に回転可能に取り付けられていて前記露光用開口部に選択的に挿入されるフィルタ部材と、被係止部と第１被押動部とを有しており往復回転させられることによって前記フィルタ部材を往復回転させるフィルタ作動部材と、第１押動部と第２押動部とを有していて前記地板の一方の面側において光軸を中心にして回転可能に配置されており前記絞り羽根とは個々にピン・スロット連結されていて初期位置では前記絞り羽根を最大口径制御状態又は最小口径制御状態にさせている駆動リングと、前記駆動リングを初期位置から正方向と逆方向とに往復回転させることが可能であり正方向へ回転させたときには前記複数枚の絞り羽根を同時に同じ方向へ回転させて絞り口径を変化させ前記初期位置から逆方向へ回転させたときには前記第１押動部に前記第１被押動部を押させることによって前記フィルタ作動部材を一方へ回転させるステップモータと、係止部と第２被押動部とを有しており前記駆動リングが前記初期位置から逆方向へ回転させられたときには該係止部が前記被係止部を係止することによって前記フィルタ作動部材を一方へ回転させられた状態に保ちその後前記駆動リングが前記初期位置から正方向へ回転させられたとき絞り口径を変化させた後の正方向への回転で前記第２被押動部が前記第２押動部に押されることで該係止部による係止を解除させられ前記フィルタ作動部材の他方への回転を可能にする係止部材と、を備えていることを特徴とするカメラ用絞り機構。
【請求項２】
前記絞り羽根と前記駆動リングとが、前記駆動リングに形成された各々のカム溝に、前記各絞り羽根に設けられたピンを嵌合させて連結されており、該各カム溝は、前記駆動リングの回転によって前記各絞り羽根を回転させない二つの長孔部が前記各絞り羽根を回転させる長孔部を間にして連続的に形成されていることを特徴とする請求項１に記載のカメラ用絞り機構。
【請求項３】
前記係止部材が、前記フィルタ部材を取り付けた地板面に取り付けられていることを特徴とする請求項１又は２に記載のカメラ用絞り機構。
【請求項４】
前記フィルタ部材が、回転作動量の一番大きな先端部を、前記地板に形成されたスリットに挿入していることを特徴とする請求項１乃至３の何れかに記載のカメラ用絞り機構。
【発明の詳細な説明】
【０００１】
【発明の属する技術分野】
本発明は、撮影に際して、フィルムやＣＣＤ素子などに達する被写体光量を電動で調節できるようにしたカメラ用絞り機構に関する。
【０００２】
【従来の技術】
カメラ用絞り機構として一般に広く採用されているものとしては、露光用開口部よりも直径の小さな開口部を、撮影光路内に選択的に挿入させるようにしたものと、複数枚の羽根を同時に作動させ、光軸を中心にして口径を変化させ得るようにしたものとがある。そして、前者の絞り機構は、真円の開口部を得ることができる点で優れているが、絞り機構全体が大型化してしまい、小型化しようとすると、絞りの制御段数を少なくしなければならなくなる。
【０００３】
また、後者の絞り機構の中には、光軸を中心にして回転する駆動リングが、３枚以上の羽根を同方向へ同時に回転させるようにしたものがある。そして、その場合、各羽根は、上記の駆動リングと地板の両方に連結されていて、いずれか一方の連結部を支点にして回転させられるように構成されているが、通常は、地板に対しては回転可能に取り付けられ、駆動リングに対してはピン・スロット連結（ピンとカム溝（カム形状の長孔）との連結）構成で取り付けられたものが多く、中でも、カム溝を駆動リングに形成するようにしたものが多い。このことから、そのような駆動リングをカムリングと称することがある。しかしながら、どのような態様を採用するにしても、駆動リングによって３枚以上の羽根を同方向へ同時に回転させるようにした絞り機構の場合には、常に光軸を中心にした比較的円形に近い形状の絞り口径を連続的又は多段階に得られることを特徴とするものであって、羽根の枚数を多くすればするほど、絞り口径は円形に近くなる。本発明は、このような種類のカメラ用絞り機構に関するものである。
【０００４】
【発明が解決しようとする課題】
ところで、最近では、カメラの電動化に伴い、従来のように、ばねによって絞り羽根を所定の口径制御位置まで駆動するのではなく、電磁アクチュエータによって駆動するものが増えてきた。そして、その典型的なアクチュエータがステップモータである。しかしながら、周知のように、ステップモータは、回転子が所定の回転角度位置でしか停止できないため、制御可能な絞り段数を多くしたり、各段において所望の絞り値（ｆ値）が得られるようにしようとすると、自ずと制約を受けてしまうことになる。そして、そのような問題を克服するためには二つの方法があり、その一つは、歯車の減速比を大きくすることであり、もう一つは、上記したカム溝の傾きを緩やかに形成することである。
【０００５】
しかしながら、減速比を大きくする場合には、大きな歯車を用いるか、小さな歯車を複数個用いることになるが、いずれの場合にも絞り機構の大型化を免れることはできない。また、後者の場合には、コンパクトにまとめることによって前者の場合よりは大型化を免れることが可能であるが、部品点数が増えてコスト的に不利となり、且つバックラッシの影響が大きくなって所定の絞り口径が安定して得られなくなるという問題点がある。他方、カム溝の傾きを緩やかに形成する方法は、制御可能な絞り段数を多くしようとすると、カム溝の長さを長くしなくてはならないため、他の羽根用のカム溝との位置関係から羽根の枚数を少なくしなくてはならなくなり、絞り口径をより円形に近くすることが難しくなる。また、それを避けるためにカム溝の長さを長くしない場合は、逆に制御可能な絞り段数が少なくなってしまうという不都合がある。更に、このようなことから、絞り段数を多くするために、絞り羽根のほかにフィルタを併用させるようにする考えもあるが、同じ羽根室内で絞り羽根とフィルタを作動させるために、スムーズな作動が得にくいという問題点がある。
【０００６】
本発明は、このような問題点を解決するためになされたものであり、その目的とするところは、ステップモータによって回転される駆動リングが、複数枚の羽根を同じ方向へ同時に回転させて絞り口径を制御するようにした絞り機構であって、光量制御段数を実質的に多く確保することができ、且つ作動の安定化，小型化，低コスト化にも好適なカメラ用絞り機構を提供することである。
【０００７】
【課題を解決するための手段】
上記の目的を達成するために、本発明のカメラ用絞り機構は、露光用開口部を有する地板と、光軸を中心にした略等間隔の角度位置で前記地板の一方の面に回転可能に取り付けられている複数枚の絞り羽根と、前記地板の他方の面に回転可能に取り付けられていて前記露光用開口部に選択的に挿入されるフィルタ部材と、被係止部と第１被押動部とを有しており往復回転させられることによって前記フィルタ部材を往復回転させるフィルタ作動部材と、第１押動部と第２押動部とを有していて前記地板の一方の面側において光軸を中心にして回転可能に配置されており前記絞り羽根とは個々にピン・スロット連結されていて初期位置では前記絞り羽根を最大口径制御状態又は最小口径制御状態にさせている駆動リングと、前記駆動リングを初期位置から正方向と逆方向とに往復回転させることが可能であり正方向へ回転させたときには前記複数枚の絞り羽根を同時に同じ方向へ回転させて絞り口径を変化させ前記初期位置から逆方向へ回転させたときには前記第１押動部に前記第１被押動部を押させることによって前記フィルタ作動部材を一方へ回転させるステップモータと、係止部と第２被押動部とを有しており前記駆動リングが前記初期位置から逆方向へ回転させられたときには該係止部が前記被係止部を係止することによって前記フィルタ作動部材を一方へ回転させられた状態に保ちその後前記駆動リングが前記初期位置から正方向へ回転させられたとき絞り口径を変化させた後の正方向への回転で前記第２被押動部が前記第２押動部に押されることで該係止部による係止を解除させられ前記フィルタ作動部材の他方への回転を可能にする係止部材と、を備えているようにする。
【０００８】
また、本発明のカメラ用絞り機構においては、前記絞り羽根と前記駆動リングとが、前記駆動リングに形成された各々のカム溝に、前記各絞り羽根に設けられたピンを嵌合させて連結されており、該各カム溝は、前記駆動リングの回転によって前記各絞り羽根を回転させない二つの長孔部が前記各絞り羽根を回転させる長孔部を間にして連続的に形成されているようにすると、各絞り羽根の位置制御が確実に行えるようになる。
【０００９】
また、本発明のカメラ用絞り機構においては、前記係止部材が、前記フィルタ部材を取り付けた地板面に取り付けられているようにすると、フィルタ部材との組立調整が容易となる。
【００１０】
更に、本発明のカメラ用絞り機構においては、前記フィルタ部材が、回転作動量の一番大きな先端部を、前記地板に形成されたスリットに挿入しているようにすると、フィルタ部材の作動と露光用開口部への挿入状態が安定する。
【００１１】
【発明の実施の形態】
本発明の実施の形態を、図１〜図７に示した第１実施例と、図８〜図１１に示した第２実施例によって説明する。また、これらの実施例は、フィルムを使用するカメラにもデジタルカメラにも適用することが可能であるが、説明に際しては、便宜上、いずれもフィルムを使用するカメラに適用した場合を前提にして説明する。尚、第１実施例と第２実施例において実質的に同じである部材，部位には同じ符号を付けてある。
【００１２】
［第１実施例］
先ず、第１実施例の構成を、図１〜図４を用いて説明するが、図１は被写体側から見た撮影前の状態を示す平面図であり、図２は図１の背面図であり、図３は各部材の重なり関係を分かり易くするのに都合よく断面した断面図である。また、図４は、図１と同じ状態を同じようにして見た平面図であって、羽根室内の主な構成部材，部位を破線で示すようにしたものである。
【００１３】
図１に示すように、本実施例の地板１は合成樹脂で製作されており、その略中央部に形成された円形の開口部１ａは、最大絞り口径を規制する露光用開口部である。また、地板１の背面側には、図２に示すようにカバー板２が配置されていて、二つのビス３によって地板１に取り付けられ、地板１との間に羽根室を構成している。そして、このカバー板２の略中央部には、上記の開口部１ａよりも大きな円周部を有する異形の開口部２ａが形成されている。
【００１４】
図１に示すように、地板１の表面側には一段低く凹部１ｂが形成されていて、その側壁の一部には羽根室内に通じるスリット１ｃが形成されている。また、開口部１ａの周りには、光軸を中心にして等間隔の角度位置に配置された六つの丸い孔１ｄと、二つの比較的大きな孔１ｅ，１ｆと、円弧状の孔１ｇが形成されている。更に、地板１の表面側には、三つの軸１ｈ，１ｉ，１ｊと、四つのピン１ｋ，１ｍ，１ｎ，１ｐと、二つのフック部１ｑ，１ｒと、筒部１ｓとが設けられている。また、背面側には、図２に示されているような二つの押さえ部１ｔ，１ｕが設けられ、また、図３に分かり易く示されているように、二つの軸１ｖ，１ｗが設けられている。そして、筒部１ｓの内部から延伸した軸１ｖの先端は、カバー板２に設けられた丸い孔を貫通している。
【００１５】
次に、このような地板１の表面側に取り付けられている部材について説明する。先ず、軸１ｈにはフィルタ部材４が回転可能に取り付けられている。このフィルタ部材４は、ＮＤフィルタとして用いられるものであり、所定の剛性を有するポリエステルフィルムで製作されていて、長孔４ａが形成されている。そして、一番作動量の大きい先端部は、上記したスリット１ｃに挿入されていて、平面性を維持され且つ好適な作動が得られるようになっている。尚、このフィルタ部材４は、１枚の材料で製作されているが、従来のように、全体としては薄い金属板で製作し、そこに形成された孔を塞ぐようにしてフィルタ材料を取り付けるようにした形式のものであっても差し支えない。
【００１６】
軸１ｉには、合成樹脂製のフィルタ作動部材５が回転可能に取り付けられ、ばね６によって反時計方向へ回転するように付勢されているが、図１においては、その回転をピン１ｋによって阻止されている。このフィルタ作動部材５は、被係止部５ａと、被押動部５ｂと、ピン５ｃとを有していて、被押動部５ｂは、孔１ｅを貫通して羽根室内に臨んでおり、ピン５ｃは、フィルタ部材４の長孔４ａを貫通し、その先端部を地板１の孔１ｇに挿入させている。
【００１７】
軸１ｊには、合成樹脂製の係止部材７が回転可能に取り付けられ、ばね８によって時計方向へ回転するように付勢されているが、図１においては、その回転をピン１ｍによって阻止されている。この係止部材７は、フィルタ作動部材５の被係止部５ａを係止する係止部７ａと、被押動部７ｂとを有していて、その被押動部７ｂは、孔１ｆを貫通して羽根室内に臨んでいる。
【００１８】
本実施例においては、駆動源としてステップモータを用いている。そして、その固定子は地板１の表面側に取付けられる。そこで、次に、その固定子の取付け構成を説明する。固定子は、ヨーク９，１０と、コイル１１，１２を巻回したボビン１３，１４とで構成されているが、ヨーク９，１０は、各々、先端が磁極部となっている二つずつの脚部９ａ，９ｂ、１０ａ，１０ｂと、基部に形成された嵌合部９ｃ，１０ｃとを有しており、その一方の脚部９ａ，１０ａにボビン１３，１４を嵌装させている。
【００１９】
そこで、ヨーク９を地板１に取り付ける場合には、先ず、図１において、筒部１ｓの左側から脚部９ａ，９ｂの先端を筒部１ｓに形成された溝に挿入する。そして、嵌合部９ｃをピン１ｎに嵌合させ、フック部１ｑによって止めるようにする。また、他方のヨーク１０は、筒部１ｓの右側に取り付けられるが、その取付け方は、上記の取付け方に準じて行なわれるので、その説明を省略する。
【００２０】
次に、図２〜図４を用いて、羽根室内の構成を説明するが、図面を見やすくするために、図４においては、図１において付けた符号の一部を省略している。先ず、ステップモータの回転子１５は、４極に着磁されていて、その周面を、ヨーク９，１０の脚部９ａ，９ｂ，１０ａ，１０ｂの先端面に対向させた永久磁石１５ａと、合成樹脂のアウトサート加工によって永久磁石１５ａに対し一体的に形成された歯車１５ｂとを有していて、地板１の軸１ｖに回転可能に取り付けられ、カバー板２が歯車１５ｂの端面に接触することによって抜け止めされている。また、軸１ｗには、減速用の親子歯車１６が回転可能に取り付けられ、その親歯車が回転子１５の歯車１５ｂに噛合している。そして、この親子歯車１６は、上記した押さえ部１ｔ，１ｕによって抜け止めされている。
【００２１】
羽根室内には駆動リング１７が配置されていて、図３から分かるように、周辺部が地板１に摺接して回転可能となっている。また、この駆動リング１７には六つのカム溝１７ａが形成され、外周部には、フィルタ作動部材５の被押動部５ｂを押す押動部１７ｂと、係止部材７の被押動部７ｂを押す押動部１７ｃと、親子歯車１６の子歯車に噛合した歯部１７ｄとを有している。
【００２２】
本実施例は、全く同じ形状の６枚の絞り羽根１８を備えているが、図３においては図示を省略されている。夫々の絞り羽根１８は、一方の面にピン１８ａを有し、他方の面にピン１８ｂを有していて、ピン１８ａを地板１の孔１ｄに回転可能に嵌合させ、ピン１８ｂを駆動リング１７のカム溝１７ａにピン・スロット連結させている。従って、６枚の絞り羽根１８は、駆動リング１７が回転すると、各々のピン１８ａを中心にして同じ方向へ同時に回転させられるようになっている。
【００２３】
次に、本実施例の作動を説明するが、その前に、本実施例の絞り制御方法について述べておく。周知のように、光学機器においては、絞り機構を、主に焦点深度を調節するために用いる場合と、単に光量調節のためにだけ用いる場合とがあるが、本実施例の場合は後者のために設けてある。そして、ステップモータを駆動源として用いるために、絞り羽根による調節だけでは、光量の制御段数を例えば５段階しか得ることができないものを、本実施例においては、各段階ごとにＮＤフィルタを挿入させることができるようにして、合計１０段階の光量制御が行えるようにするものである。即ち、最大口径，最大口径でフィルタ挿入，１段絞った口径，１段絞った口径でフィルタ挿入，・・・・、というようにして２倍の制御段数を可能にするものである。しかしながら、それらの全ての制御態様についての作動説明をするまでもないため、絞り羽根の最小口径時において、フィルタを挿入しない場合と、する場合とについて説明することにする。
【００２４】
そこで、先ず、絞り羽根によって制御される口径が最小口径であって、フィルタを挿入しないで撮影する場合を説明する。図４は、撮影が行われる前の状態を示しているが、この状態が本実施例の初期状態であり、回転子１５と駆動リング１７は、この図４の位置が初期位置である。そして、このとき、フィルタ部材４は開口部１ａの前面に挿入されている。また、６枚の絞り羽根１８は開口部１ａを全開状態（最大口径）にしている。しかしながら、もしも、本実施例をノーマルオープンタイプのデジタルカメラに適用する場合は、電源がオフのときには、絞り羽根１８が開口部１ａを完全に閉鎖した状態にし、撮影に先立って電源がオンになったとき図４の状態になるようにすると、撮像素子の能力をいたずらに劣化させないで済むようになる。
【００２５】
先ず、図４に示された初期状態において、レリーズボタンが押されると、シャッタの露光作動が行われる前に、被写体に対応して絞りによる制御条件が決定され、この場合には、上記したように、フィルタ部材４を開口部１ａに挿入しないで、絞り口径を最小口径にして撮影することが決定される。それによって、モータの回転子１５は、初期位置から反時計方向へ回転し、親子歯車１６を介して駆動リング１７を、初期位置から反時計方向（逆方向）へ回転させる。この回転は僅かであるが、その過程で、駆動リング１７の押動部１７ｂがフィルタ作動部材５の被押動部５ｂを押し、ばね６の付勢力に抗してフィルタ作動部材５を時計方向へ回転させる。
【００２６】
そのため、フィルタ作動部材５は、一方では、ピン５ｃによってフィルタ部材４を反時計方向へ回転させ、他方では、被係止部５ａの周面が係止部材７の係止部７ａを押して、ばね８の付勢力に抗して係止部材７を反時計方向へ回転させていく。そして、フィルタ作動部材５が所定の角度まで回転すると、被係止部５ａによる係止部７ａの押動が解かれ、係止部材７は、ばね８の付勢力によって時計方向へ回転する。図５は、その直後に、回転子１５の回転が停止された状態を示している。このとき、フィルタ部材４は、完全に開口部１ａから退いており、係止部材７の係止部７ａは、フィルタ作動部材５の被係止部５ａに形成された直線状の面に接触している。
【００２７】
また、上記のようにして、駆動リング１７が初期位置から反時計方向へ回転したときには、６枚の絞り羽根１８は、夫々のピン１８ａを中心にして、どちらの方向へも回転させられない。それは、駆動リング１７のカム溝１７ａが、その長さ方向の両側の所定領域では、絞り羽根１８のピン１８ｂの位置を移動させない形状に形成されているからである。
【００２８】
このようにして図５の状態が得られた後、回転子１５は、その初期位置を越えて時計方向へ回転させられる。そのとき、駆動リング１７が初期位置へ回転するまでの間に、押動部１７ｂがフィルタ作動部材５の被押動部５ｂから退いていくが、フィルタ作動部材５は、その被係止部５ａが係止部材７の係止部７ａに係止されることによって、反時計方向へ回転することができない。そのため、フィルタ部材４は、開口部１ａから退いた状態を維持されている。
【００２９】
その後、駆動リング１７が初期位置を越えると、カム溝１７ａが絞り羽根１８のピン１８ｂを光軸方向へ移動させていくので、６枚の絞り羽根１８は時計方向へ同時に回転させられ、撮影光路を絞っていく。そして、この作動説明は、最小絞り口径が得られるようにする場合であるから、回転子１５は、途中で停止させられることなく、６枚の絞り羽根１８によって円形に近い最小口径が得られた段階で停止させられる。その停止状態が図６に示されていて、この状態が得られた直後に、図示していないシャッタ羽根の開閉作動が行われる。
【００３０】
そして、シャッタ羽根の開閉作動が終了すると、回転子１５は、直ちに反時計方向へは回転されず、僅かではあるが、時計方向へ回転させられる。それによって、駆動リング１７も時計方向へ回転するが、その段階では、カム溝１７ａの形状によって、６枚の絞り羽根１８は、いずれも回転されずに、最小口径制御状態を維持している。他方、この段階では、駆動リング１７の押動部１７ｃが係止部材７の被押動部７ｂを押し、係止部材７をばね８の付勢力に抗して反時計方向へ回転させるため、フィルタ作動部材５の被係止部５ａに対する係止が解け、フィルタ作動部材５は、ばね６の付勢力によって反時計方向へ回転する。そのため、フィルタ部材４は時計方向へ回転され、開口部１ａに挿入させられる。その状態が図７に示されている。その後、回転子１５は反時計方向へ回転し、駆動リング１７が初期位置に達したときに停止して、図４の状態に復帰する。
【００３１】
次に、絞り羽根によって制御される口径が最小口径であって、フィルタを挿入して撮影する場合を説明する。これまでの説明から既に理解されるように、この場合には、フィルタ部材４を移動させる必要がないため、駆動リング１７を初期位置から反時計方向へ回転させる必要がない。そのため、回転子１５は、最初から時計方向へ回転して駆動リング１７を時計方向へ回転させ、駆動リング１７が図６に相当する位置に達したときに停止する。そして、図示していないシャッタ羽根の開閉作動が終了すると、駆動リング１７は、図７に相当する位置まで回転されてから初期位置へ復帰されるが、図７に相当する位置まで回転させず、図６に相当する位置から、直ちに初期位置へ復帰させるようにしても差し支えない。
【００３２】
［第２実施例］
次に、第２実施例の構成を、第１実施例と異なる点についてだけ、図８を用いて説明する。図８は、第１実施例における図４と同じように、第２実施例の初期状態を示した平面図である。先ず、本実施例におけるステップモータの構成は、第１実施例の場合と全く同じである。また、地板１の背面側に配置されている部材については、地板１の軸１ｗが軸１ｖの左側に移動しているので、親子歯車１６が回転子１５の左側に配置されている。また、絞り羽根１８が７枚設けられているので、各絞り羽根１８と駆動リング１７の形状が異なっていて、駆動リング１７に設けられた７個のカム溝１７ａも長さが短くなっている。更に、絞り羽根１８が７枚になったので、地板１に形成されていて、ピン１８ａを回転可能に嵌合させる孔１ｄも７個に増えている。
【００３３】
地板１の表面側には、第１実施例のような凹部１ｂが設けられていない。そのため、軸１ｈに回転可能に取り付けられた本実施例のフィルタ部材２４は、地板１の表面で作動することになる。軸１ｉに回転可能に取り付けられた本実施例のフィルタ作動部材２５は、被係止部２５ａ，被押動部２５ｂ，ピン２５ｃ，抑止部２５ｄを有していて、ばね２６によって反時計方向へ回転するように付勢されている。そして、被押動部２５ｂは、地板１の孔１ｘを貫通して、第１実施例の被押動部５ｂと同様に、羽根室内に延伸している。また、ピン２５ｃは、フィルタ部材２４の長孔２４ｂに嵌合し、その先端部が地板１の孔１ｇに挿入されており、図８においては、孔１ｇの縁に当接することによって、フィルタ作動部材２５の反時計回転が阻止されている。
【００３４】
軸１ｊに回転可能に取り付けられた本実施例の係止部材２７は、係止部２７ａ，被押動部２７ｂを有していて、ばね２８によって時計方向へ回転するように付勢されているが、図８においては、係止部２７ａがフィルタ作動部材２５の抑止部２５ｄに当接し、その時計回転を阻止されている。また、被押動部２７ｂは、地板１の孔１ｘを貫通して、第１実施例における被押動部７ｂと同様に、羽根室内に延伸している。更に、地板１には、ピン１ｙが設けられ、ばね２６，２８のばね掛けと、係止部材２７のストッパの役目をしている。
【００３５】
次に、本実施例の作動を説明するが、本実施例の場合も、各絞り開口位置でＮＤフィルタを選択的に挿入できるようにし、光量制御段数を大幅に増加させるようにしているという点については、第１実施例の場合と同じである。そこで、本実施例の場合にも、絞り羽根の最小口径時において、フィルタを挿入しない場合と、する場合とについて説明することにするが、第１実施例の場合とは逆に、絞り羽根によって制御される口径が最小口径であって、フィルタを挿入して撮影が行われる場合から説明することにする。
【００３６】
図８は、撮影が行われる前の初期状態を示している。従って、このとき、回転子１５と駆動リング１７は初期位置にある。また、本実施例の場合には、このとき、フィルタ部材２４が開口部１ａの前面に挿入されていないが、７枚の絞り羽根１８は、第１実施例のように、開口部１ａを全開状態（最大口径）にしている。この初期状態において、レリーズボタンが押されると、ステップモータの回転子１５は、初期位置から反時計方向へ回転し、親子歯車１６を介して駆動リング１７を、初期位置から反時計方向へ回転させる。その回転は僅かであるが、その過程で、駆動リング１７の押動部１７ｂがフィルタ作動部材２５の被押動部２５ｂを押し、ばね２６の付勢力に抗してフィルタ作動部材２５を時計方向へ回転させる。
【００３７】
そのため、フィルタ作動部材２５は、ピン２５ｃによってフィルタ部材２４を時計方向へ回転させていく。また、その間、フィルタ作動部材２５の抑止部２５ｄは係止部材２７の係止部２７ａに対して摺接しているが、フィルタ部材２４が開口部１ａを完全に覆った段階でその摺接関係が解け、係止部材２７は、ばね２８の付勢力によって時計方向へ回転し、ピン１ｙに当接して停止する。図９は、その直後に、回転子１５の回転が停止された状態を示しており、係止部材２７の係止部２７ａは、フィルタ作動部材２５の被係止部２５ａの作動軌跡内にある。
また、上記のように、駆動リング１７が初期位置から反時計方向へ回転したときには、７枚の絞り羽根１８は、どちらの方向へも回転させられない。それは、本実施例の場合にも、駆動リング１７のカム溝１７ａが、その長さ方向の両側の所定領域では、絞り羽根１８のピン１８ｂの位置を移動させない形状に形成されているからである。
【００３８】
このようにして図９の状態が得られた後、回転子１５は、その初期位置を越えて時計方向へ回転させられる。そのとき、駆動リング１７が初期位置へ回転するまでの間に、押動部１７ｂがフィルタ作動部材２５の被押動部２５ｂから退いていくため、フィルタ作動部材２５は、ばね２６の付勢力によって反時計方向へ回転しようとするが、その被係止部２５ａが係止部材２７の係止部２７ａに係止されて、回転することができない。そのため、フィルタ部材２４は、開口部１ａに挿入された状態を維持されている。
【００３９】
その後、駆動リング１７が初期位置を越えると、カム溝１７ａが絞り羽根１８のピン１８ｂを光軸方向へ移動させていくので、７枚の絞り羽根１８は時計方向へ同時に回転させられ、撮影光路を絞っていく。そして、第１実施例の場合と同様に、この作動説明は、最小絞り口径が得られるようにする場合であるから、回転子１５は、途中では停止させられることなく、７枚の絞り羽根１８によって円形に近い最小口径が得られた段階で停止させられる。その停止状態が図１０に示されていて、この状態が得られた直後に、図示していないシャッタ羽根による開閉作動が行われる。
【００４０】
そして、シャッタ羽根の開閉作動が終了すると、回転子１５は、直ちに初期位置へ向けて回転されず、僅かではあるが、時計方向へ回転させられる。それによって、駆動リング１７も時計方向へ回転するが、その段階では、カム溝１７ａの形状によって、７枚の絞り羽根１８は、いずれも回転されず、最小口径の制御状態を維持している。他方、この時計方向の回転によって、駆動リング１７の押動部１７ｃが係止部材２７の被押動部２７ｂを押し、係止部材２７をばね２８の付勢力に抗して反時計方向へ回転させるため、フィルタ作動部材２５の被係止部２５ａに対する係止が解け、フィルタ作動部材２５は、ばね２６の付勢力によって反時計方向へ回転し、フィルタ部材２４を反時計方向へ回転させて、開口部１ａから退かせる。そして、ピン２５ｃが孔１ｇの縁に当接して停止した状態が図１１に示されている。その後、回転子１５は反時計方向へ回転し、駆動リング１７が初期位置に達したときに停止して、図８の状態に復帰する。
【００４１】
次に、絞り羽根によって制御される口径が最小口径であって、フィルタを挿入しないで撮影する場合を説明する。この場合は、図８の状態からフィルタ部材２４を移動させる必要がないため、駆動リング１７を初期位置から反時計方向へ回転させる必要がない。そのため、回転子１５は、最初から時計方向へ回転することによって、駆動リング１７を時計方向へ回転させ、駆動リング１７が図１０に相当する位置に達したとき停止する。そして、図示していないシャッタ羽根の開閉作動が終了すると、駆動リング１７は、図１１に相当する位置まで回転されてから初期位置へ復帰させられるか、図１０に相当する位置から、直ちに初期位置へ復帰させられ、一連の作動が終了する。
【００４２】
尚、上記の各実施例の説明においては、最大絞り口径の制御状態を初期状態として説明したが、カメラによっては、最小絞り口径の制御状態を初期状態としても差し支えない。また、上記の各実施例においては、地板１の孔１ｄと絞り羽根１８のピン１８ａを嵌合させているが、地板１にピンを設け、絞り羽根１８に孔を形成するようにしても差し支えない。更に、上記の各実施例においては、駆動リング１７にカム溝１７ａを形成し、絞り羽根１８にピン１８ｂを設けているが、駆動リング１７に設けたピンと絞り羽根１８に形成したカム溝とを、ピン・スロット連結するようにしても差し支えない。
【００４３】
【発明の効果】
以上のように、本発明によれば、ステップモータによって回転される駆動リングが、その駆動リングにピン・スロット連結されている複数枚の絞り羽根を、同じ方向へ同時に回転させて絞り口径を制御するようにした絞り機構において、従来のように、大きな減速歯車や小さな複数の減速歯車を設けたり、ピン・スロット連結用のカム溝を長く形成することなく、光量制御段数を多く確保することが可能となり、小型で低コストな絞り機構を得ることができる。また、複数枚の絞り羽根とフィルタ部材とを、地板の反対側で作動させるようにしているので、選択的に作動されるフィルタ部材と常に作動させられる絞り羽根とが、安定した作動を行えるという特徴も有している。
【図面の簡単な説明】
【図１】被写体側から見て撮影前の状態を示した第１実施例の平面図である。
【図２】図１の背面図である。
【図３】各部材の重なり関係を分かり易くするのに都合よく断面した第１実施例の断面図である。
【図４】図１と同じ状態を同じようにして見た第１実施例の平面図であって、羽根室内の主な構成部材，部位を破線で示すようにしたものである。
【図５】図４と同じようにして示した第１実施例の平面図であって、図４の状態からフィルタ部材を作動させた状態を示したものである。
【図６】図４と同じようにして示した第１実施例の平面図であって、図５の状態から絞り羽根を最小口径制御位置に作動させた状態を示したものである。
【図７】図４と同じようにして示した第１実施例の平面図であって、図６の状態においてフィルタ部材を復帰させた状態を示したものである。
【図８】図４と同じようにして第２実施例の初期状態を示した平面図である。
【図９】図８と同じようにして示した第２実施例の平面図であって、図８の状態からフィルタ部材を作動させた状態を示したものである。
【図１０】図８と同じようにして示した第２実施例の平面図であって、図９の状態から絞り羽根を最小口径制御位置に作動させた状態を示したものである。
【図１１】図８と同じようにして示した第２実施例の平面図であって、図１０の状態においてフィルタ部材を復帰させた状態を示したものである。
【符号の説明】
１                        地板
１ａ，２ａ                開口部
１ｂ                      凹部
１ｃ                      スリット
１ｄ，１ｅ，１ｆ，１ｇ，１ｘ  孔
１ｈ，１ｉ，１ｊ，１ｖ，１ｗ  軸
１ｋ，１ｍ，１ｎ，１ｐ，１ｙ，５ｃ，１８ａ，１８ｂ，２５ｃ  ピン
１ｑ，１ｒ                フック部
１ｓ                      筒部
１ｔ，１ｕ                押さえ部
２                        カバー板
３                        ビス
４，２４                  フィルタ部材
４ａ，２４ａ              長孔
５，２５                  フィルタ作動部材
５ａ，２５ａ              被係止部
５ｂ，７ｂ，２５ｂ，２７ｂ  被押動部
６，８，２６，２８        ばね
７，２７                  係止部材
７ａ，２７ａ              係止部
９，１０                  ヨーク
９ａ，９ｂ，１０ａ，１０ｂ  脚部
９ｃ，１０ｃ              嵌合部
１１，１２                コイル
１３，１４                ボビン
１５                      回転子
１５ａ                    永久磁石
１５ｂ                    歯車
１６                      親子歯車
１７                      駆動リング
１７ａ                    カム溝
１７ｂ，１７ｃ            押動部
１７ｄ                    歯部
１８                      絞り羽根
２５ｄ                    抑止部
【図１】
0004618860.tif 000002
【図２】
0004618860.tif 000003
【図３】
0004618860.tif 000004
【図４】
0004618860.tif 000005
【図５】
0004618860.tif 000006
【図６】
0004618860.tif 000007
【図７】
0004618860.tif 000008
【図８】
0004618860.tif 000009
【図９】
0004618860.tif 000010
【図１０】
0004618860.tif 000011
【図１１】
0004618860.tif 000012